(57)【特許請求の範囲】
【請求項１】
被試験物を模擬環境において試験をするための環境模擬試験装置であって、被試験物を搬入するための開口部（７２）をその外壁に有するテストチャンバ（７０）と、その開口部を塞ぐ蓋であって一端を中心に回転できるハッチカバー（８０）と、作業床板（３２）を有する床面昇降装置（１０）とを備え、
前記床面昇降装置が、前記開口部に沿って設けられ、ハッチカバーが開閉のため移動する間、床面昇降装置が作業床板を下降させることを特徴とする環境模擬試験装置。
【請求項２】
前記テストチャンバ（７０）はその内部に被試験物を据え付ける作業のための据付床板（７３）を有し、
ハッチカバーが開放時に、その据付床板の上面と作業床板の上面とが同一平面内にあることを特徴とする請求項１記載の環境模擬試験装置。
【請求項３】
さらに床面昇降装置（１０）が可動式床板（３１、３３）を有し、ハッチカバーの開放時に、可動式床板の上面が据付床板の上面と作業床板の上面との橋渡しをすることを特徴とする請求項２記載の環境模擬試験装置。
【発明の詳細な説明】
【０００１】
【発明の属する技術分野】
本発明は、機械等の被試験物の作動試験を模擬環境において行うための環境模擬試験装置に係る。更に詳しくは、被試験物を搬入または搬出するための開口部があり、試験の段取りをするため、その開口部を通して被試験機の搬入、搬出を容易にできるようにした環境模擬試験装置に関する。
【０００２】
【従来の技術】
例えば、ジェットエンジンやロケットエンジン等の機械の運転特性を試験したい場合、地上から高高度までの環境下におけるエンジンの特性を確認するために、大気圧から真空まで環境を模擬できる環境模擬試験装置を用いる。
このように、ある機械の運転特性等を特定の環境で試験したい場合に、その特定の環境が特殊であって容易には準備できない場合がある。その様な場合、所望の環境を模擬的に再現できる環境模擬試験装置を用いる。その環境模擬試験装置の内部にその機械を設置し、内部で再現された環境下で機械を運転し、所定のデータを入手する。
【０００３】
従来の環境模擬試験装置を説明する。図７は、従来の環境模擬試験装置の全体配置図である。従来の環境模擬試験装置は、テストチャンバ７０、ハッチカバー８０、据え付け床板７３、および固定作業床板９１を備える。テストチャンバ７０は、密閉容器であり、例えば大きな円筒形状をしている。そのテストチャンバ７０の側面には、通常大きな開口部７２が設けられている。その開口部７２は、機械を環境模擬試験装置の内部に搬入し、また内部から搬出するのに用いられる。
ハッチカバー８０は、その開口部７２とほぼ同寸法の取り外し可能な蓋であり、その開口部７２を閉塞できる。据え付け床板７３は、水平な上面を持った床板である。据え付け床板７３は、テストチャンバの内部の下部に備えられ、そのテストチャンバ内に機械を据え付けるのに用いられる。固定作業床板９１は、テストチャンバの開口部に沿って設けられた床板である。その固定作業床板９１は取り外し可能となっている。その固定作業床板９１は、テストチャンバ７０の周囲で作業員がその上面に乗って作業をするのに用いられる。固定作業床板９１の上面と据え付け床板７３の上面は、環境模擬試験装置が据え付けられた建屋の床面と同一平面上にある。
【０００４】
この従来の環境模擬試験装置に機械を搬入する手順を説明する。最初ハッチカバー８０がテストチャンバ７０の開口部７２を閉鎖し、固定作業床板９１は開口部７２の側方に設置されている。
まず機械を建屋床６１の上の台車に乗せ準備する。固定作業床板９１を建屋のクレーンで釣り上げて、移動して、退避位置へ置く。ハッチカバー８０を移動し、所定の場所に固定する。退避位置にあった固定作業床板９１を建屋クレーンで釣り上げ、開口部７２の側方に設置する。さらに橋渡し床板９２を建屋クレーンで釣り上げ、固定作業床板９１と据え付け床板７３の間に架け渡す。機械を乗せた台車を、建屋床６１と固定作業床板９１と橋渡し床板９２との上面を転がし、据え付け床板７３の上面に位置する。機械をテストチャンバ７０の内部に固定したら、台車を開口部７２から引きだす。橋渡し床板９２を建屋クレーンで釣り上げて、開口部７２から出す。固定作業床板９１を建屋クレーンで釣り上げて、移動し、退避場所に置く。ハッチカバー８０を移動して、開口部７２を閉塞する。固定作業床板９１を建屋クレーンで釣り上げ、開口部７２の前方の所定の場所に設置する。
なおこの従来の環境模擬試験装置から機械を搬出する場合は、搬入する手順を逆におこなう。
【０００５】
【発明が解決しようとする課題】
上述の様に、従来の環境模擬試験装置では、機械を環境模擬試験装置のテストチャンバ内に設置する度に、固定作業床板を建屋クレーンで移動しなければならなかった。また機械を環境模擬試験装置のテストチャンバから搬出する度に、固定作業床板を建屋クレーンで移動しなければならなかった。そのため、ハッチカバーの開閉の度に床板の設置作業に手間取り、環境模擬試験装置の稼働率が低下するという問題点があった。
【０００６】
本発明は以上に述べた問題点に鑑み案出されたもので、従来の環境模擬試験装置にかわって、ハッチカバーの開閉が容易で、機械の搬入、搬出があっても稼働率の低下しない環境模擬試験装置を提供しようとする。
【０００７】
【課題を解決するための手段】
上記目的を達成するため本発明に係る環境模擬試験装置は、被試験物を模擬環境において試験をするための環境模擬試験装置であって、被試験物を搬入するための開口部（７２）をその外壁に有するテストチャンバ（７０）と、その開口部を塞ぐ蓋であって一端を中心に回転できるハッチカバー（８０）と、作業床板（３２）を有する床面昇降装置（１０）とを備え、前記床面昇降装置が、前記開口部に沿って設けられ、ハッチカバーが開閉のため移動する間、床面昇降装置が作業床板を下降させるものとした。
【０００８】
上記本発明の構成により、テストチャンバは、被試験物を搬入出するための開口部をその外壁に有し、その外壁にある開口部から被試験物を搬入できる。ハッチカバーは、その開口部を覆う蓋であって一端を中心に回転できるので、その蓋で開口部を開放でき、また閉鎖できる。床面昇降装置は、作業床板を有し、その開口部に沿って設けられ、ハッチカバーが開閉のため移動する間、その床面昇降装置がその作業床板を下降させることができる。
【０００９】
さらに、本発明に係る環境模擬試験装置は、前記テストチャンバ（７０）はその内部に被試験物を据え付ける作業のための据付床板（７３）を有し、ハッチカバーが開放時に、その据付床板の上面と作業床板の上面とが同一平面内にあるものとした。
上記本発明の構成により、据付床板がテストチャンバの内部に備えられ、被試験物を据え付けるため用いられる。ハッチカバーが開放時には、その据付床板の上面と据付床板の上面とが同一平面を構成することができる。
【００１０】
さらに、本発明に係る環境模擬試験装置は、さらに床面昇降装置（１０）が可動式床板（３１、３３）を有し、ハッチカバーの開放時に、可動式床板の上面が据付床板の上面と作業床板の上面との橋渡しをするものとした。
上記本発明の構成により、可動式床板と作業床板が床面昇降装置にあり、
ハッチカバーが開放時に、可動式床板の上面と据付床板の上面と作業床板の上面とが、並んで同一平面を構成することができる。
【発明の実施の形態】
以下、本発明の好ましい実施形態を図面を参照して説明する。なお、各図において、共通する部分には同一の符号を付し、重複した説明を省略する。
【００１１】
図１は、本発明の実施形態の第一の側面図である。図２は、本発明の実施形態の第二の側面図である。図３は、本発明の実施形態の部分側面図である。図４は、本発明の実施形態の部分正面図である。図５は、本発明の実施形態の全体配置を示す平面図である。
【００１２】
環境模擬試験装置は、テストチャンバ７０、ハッチカバー８０および床面昇降装置１０を備える。
テストチャンバは、テストチャンバ本体７１と据え付け床板７３とを有する。そのテストチャンバ本体は、例えば大きな円筒形状をし、内部に被測定物を据え付けることが可能になっている。そのテストチャンバ本体の側面には、大きな開口部７２が設けられている。その開口部７２は、被試験物を環境模擬試験装置の内部に搬入し、また内部から搬出するのに用いられる。据え付け床板７３は、水平な上面を持った床板である。据え付け床板７３は、テストチャンバ７０の内部の下部に備えられ、そのテストチャンバ７０内に被試験物を据え付ける作業のために用いられる。
【００１３】
ハッチカバー８０は、ハッチカバー本体８１と開閉アクチエータ８２とハッチカバー回転軸８３と開閉アクチエータ用座８４とを有する。ハッチカバー回転軸８３は、テストチャンバ本体７１外側の上記開口部７２上辺付近に設けられる。ハッチカバー本体８１は、その開口部７２を塞ぐことのできる蓋である。ハッチカバー本体８１は、その上端部がハッチカバー回転軸８３に固定され、そのハッチカバー回転軸８３を中心に上下へ回転可能になっている。
開閉アクチエータ座８４は、テストチャンバの外側上部に設けられる。開閉アクチエータ８２は、例えば油圧シリンダであって、シリンダが開閉アクチエータ座８４に回転自在に固定され、ロッド先端がハッチカバー本体８１に回転自在に固定される。開閉アクチアータ８１が縮むと、ハッチカバー本体８１が上方に回転し開口部７２を開放する。開閉アクチアータ８１が伸びると、ハッチカバー本体８１が下方に回転し開口部７２を閉塞する。
【００１４】
床面昇降装置１０は、昇降機構２０と床板機構３０とロック機構４０と支持機構５０とを有する。床板機構３０とロック機構４０は、昇降機構２０の上部に配置される。支持機構４０は、昇降機構２０とテストチャンバ７０の間および昇降機構２０と建屋床６０の間とに配置される。
昇降機構２０は、第一昇降脚２１、第二昇降脚２２、第三昇降脚２３、第四昇降脚２４、昇降アクチエータ２５、昇降機構基礎２６及び昇降機構上部構造２７で構成される。
第一昇降脚２１、第二昇降脚２２、第三昇降脚２３及び第四昇降脚２４はそれぞれ両端に回転支持部を有する長柱である。第一昇降脚２１と第二昇降脚２２とがＸ状に交差し、交差点で回転自在に固定される。
同様に、第三昇降脚２３と第四昇降脚２４とがＸ状に交差し、交差点で回転自在に固定される。組となった第一昇降脚２１と第二昇降脚２２と、組となった第三昇降脚２３と第四昇降脚２４とが相対して配置される。第二昇降脚２２の下端と第四昇降脚２４の下端は昇降機構基礎２６に回転自在に固定される。第一昇降脚２１の上端と第三昇降脚２３の上端は、昇降機構上部構造２７に回転自在に固定される。第二昇降脚２２の上端と第四昇降脚２４の上端は昇降機構上部構造２７の水平ガイド２８に水平方向移動自在に固定される。
第一昇降脚２１の下端と第三昇降脚２３の下端は、昇降機構基礎２６の水平ガイド２８に水平方向移動自在に固定される。昇降アクチエータ２５は、例えば油圧シリンダであり、そのシリンダ下端を昇降機構基礎２６に回転自在に固定され、そのロッド上端を第二昇降脚２２と第四昇降脚２４とに回転自在に固定される。昇降アクチエータ２５が伸縮すると、それにしたがって昇降機構２０が昇降下降する。
【００１５】
ロック機構４０は、第一ロック軸４１、第二ロック軸４２、第一ロック軸ガイド４３、第二ロック軸ガイド４４、第一ロック軸アクチエータ４５及び第二ロック軸アクチエータ４６で構成される。２個の第一ロック軸ガイド４３が上記昇降機構上部構造２７のハッチに向いた側面に設けられ、２個の第二ロック軸ガイド４４が上記昇降機構上部構造２７の他方の側面に設けられる。
第一ロック軸４１は、軸長手方向に慴動自在に第一ロック軸ガイド４３に固定される。第二ロック軸４２は、軸長手方向に慴動自在に第二ロック軸ガイド４４に固定される。第一ロック軸アクチエータ４５は、例えば油圧シリンダで、そのシリンダ本体を昇降機構上部構造２７に固定され、ロッド先端を第一ロック軸４１に固定される。第一ロック軸アクチエータ４５が伸縮すると、第一ロック軸４１が前進または後進する。
第二ロック軸アクチエータ４６は、例えば油圧シリンダで、そのシリンダ本体を昇降機構上部構造２７に固定され、ロッド先端を第二ロック軸４２に固定される。第二ロック軸アクチエータ４６が伸縮すると、第二ロック軸４２が軸長手方向に前進または後進する。
【００１６】
床板機構３０は、第一可動式床板３１、作業床板３２、第二可動式床板３３、第一可動式床板アクチエータ３４、第二可動式床板アクチエータ３５及び床板機構主構造３６で構成される。第一可動式床板３１は、上部が水平な床面を構成した床板であり、一辺に回転軸を有する。第二可動式床板３３は、上部が水平な床面を構成した床板であり、一辺に回転軸を有する。作業床板３２は、上部が水平な床面を構成した床板である。第一可動式床板３１と作業床板３２と第二可動式床板３３とは、第一可動式床板３１の上面と第二可動式床板３３の上面を水平にすると、それぞれの上面がつながり同一の水平面を構成する様に配置される。
【００１７】
床板機構主構造３６は、上記昇降機構上部構造２７の上面に固定される。作業床板３２は、床板機構主構造３６の上部に固定される。第一可動式床板３１は、作業床板３２の開口部７２側に配置され、一辺を床板機構主構造３６に上下回転自在に固定される。第二可動式床板３３は、作業床板３２の反対側に配置され、一辺を床板機構主構造３６に上下回転自在に固定される。
第一可動式床板アクチエータ３４は、例えば油圧シリンダであり、シリンダ本体が昇降機構上部構造２７に回転自在に固定され、ロッド先端が第一可動式床板３１に回転自在に固定される。第一可動式床板アクチエータ３４が伸びると、第一可動式床板３１が回転してはね上げられ、第一可動式床板アクチエータ３４が縮むと、その上面が水平になるまで第一可動式床板３１が下げられる。
第二可動式床板アクチエータ３５は、例えば油圧シリンダであり、シリンダ本体が昇降機構上部構造２７に回転自在に固定され、ロッド先端が第二可動式床板３３に回転自在に固定される。第二可動式床板アクチエータ３５が伸びると、第二可動式床板３３が回転してはね上げられ、第二可動式床板アクチエータ３５が縮むと、その上面が水平になるまで第二可動式床板３３が下げられる。
【００１８】
支持機構５０は、ハッチ側支持台５１、建屋床側支持台５２、ハッチ側支持台構造５３及び第二可動式床板支持台５４で構成される。ハッチ側支持台構造５３は、テストチャンバ７０と昇降機構２０との間に配置される。ハッチ側支持台５１は、昇降機構２０が上昇し、ロック軸が前進した時、ロック軸４１を支持する様になる位置に配置され、ハッチ側支持台構造５３の上部に固定される。建屋床側支持台５２は、昇降機構２０が上昇し、ロック軸４２が前進した時、ロック軸４２を支持する様になる位置に配置され、建屋床の上部に固定される。第二可動式床板支持台５４は、第二可動式床板を支持できる位置に配置され、建屋床の上部に固定される。
【００１９】
次に、環境模擬試験装置を構成するテストチャンバ７０、ハッチカバー８０および床面昇降装置１０の作用をそれぞれ説明する。
テストチャンバ７０では、その開口部７２をハッチカバー８０により閉塞されると、テストチャンバ本体７１の内部が外界から遮断された状態にできる。据え付け床板７３が、テストチャンバ７０の内部に被測定物を搬入するときの作業床となる。
【００２０】
ハッチカバー８０では、開閉アクチエータ８２が伸びると、ハッチカバー本体８１が、ハッチカバー回転軸８３を中心に下方向へ回転し、テストチャンバ７０の開口部７２を蔽い、テストチャンバ７０を閉塞する。開閉アクチエータ８２が縮むと、ハッチカバー本体８１が、ハッチカバー回転軸８３を中心に上方向へ回転し、テストチャンバ７０の開口部７２から離れ、テストチャンバ７０の開口部７２を開放する。
【００２１】
床面昇降装置１０では、昇降機構２０の昇降アクチエータ２５が伸びると、第一昇降脚２１、第二昇降脚２２、第三昇降脚２３及び第四昇降脚２４が昇降機構基礎２６側の回転支点を中心に上方に回転し、昇降機構上部構造２７が上昇する。昇降機構上部構造２７が上昇すると、その上部に配置された床板機構３０とロック機構４０が上昇する。昇降機構の昇降アクチエータが縮むと、第一昇降脚２１、第二昇降脚２２、第三昇降脚２３及び第四昇降脚２４が昇降機構基礎２６側の回転支点を中心に下方に回転し、昇降機構上部構造２７が下降する。昇降機構上部構造２７が下降すると、その上部に配置された床板機構３０とロック機構４０が下降する。
【００２２】
ロック機構４０では、第一ロック軸アクチエータ４５が伸びると、第一ロック軸４１が第一ロック軸ガイド４３に案内されて、上記昇降機構上部構造２７の開口部７２に面した側面から突出する。第一ロック軸アクチエータ４５が縮むと、第一ロック軸４１が第一ロック軸ガイド４３に案内されて、上記昇降機構上部構造２７の側面から引っ込む。第二ロック軸アクチエータ４６が伸びると、第二ロック軸４２が第二ロック軸ガイド４４に案内されて、上記昇降機構上部構造２７の反対側の側面から突出する。第二ロック軸アクチエータ４６が縮むと、第二ロック軸４２が第二ロック軸ガイド４４に案内されて、上記昇降機構上部構造２７の側面から引っ込む。
【００２３】
床板機構３０では、第一可動式床板アクチエータ３４が伸びると、第一可動式床板３１が回転支点を中心に上方に回転し、はね上がり、その上面を略垂直にする。第一可動式床板アクチエータ３４が縮むと、第一可動式床板３１が回転支点を中心に下方に回転し、はね下がり、その上面を水平にする。第二可動式床板アクチエータ３５が伸びると、第二可動式床板３３が回転支点を中心に上方に回転し、はね上がり、その上面を略垂直にする。第二可動式床板アクチエータ３５が縮むと、第二可動式床板３３が回転支点を中心に下方に回転し、はね下がり、その上面を水平にする。第一可動式床板アクチエータ３４と第二可動式床板アクチエータ３５との両方が縮むと、第一可動式床板３１の上面と作業床板３２の上面と第二可動式床板３３の上面とが、並んで、同一の水平面を構成する。
【００２４】
支持機構５０では、昇降機構２０が上昇して、さらに第一ロック軸４１が上記昇降機構上部構造２７の側面から突出した時に、ハッチ側支持台５１が第一ロック軸４１を支持する。昇降機構２０が上昇して、さらに第二ロック軸４２が上記昇降機構上部構造２７の側面から突出した時に、建屋床側支持台５２が第二ロック軸４２を支持する。昇降機構２０が上昇して、さらに第二可動式床板３３が下がった時、第二可動式床板支持台５４が第二可動式床板３３を支持する。
【００２５】
次に、環境模擬試験装置に被試験物を搬入、搬出する際のハッチカバーの開放、閉塞作業の手順を順番に従って、説明する。図６はその手順を示す概念図である。
（Ａ）まず、ハッチカバー８０がテストチャンバ７０の開口部７２を閉塞し、床面昇降装置１０の昇降機構２０が上昇位置にあり、第一可動式床板３１が跳ね上がり、第二可動式床板３３がその上面が水平になる位置にあり第二可動式床板支持台５４に支持され、ロック軸４１とロック軸４２が突出して、ハッチ側支持台５１と建屋床側支持台５２に支持されている。
【００２６】
（Ｂ）昇降アクチエータ２５を所定距離だけ伸ばす。昇降アクチエータ２５が所定距離だけ伸びると、昇降機構２０が伸張し、昇降機構上部構造２７がその所定距離に対応した距離Ｘ１だけ上方に移動する。昇降機構上部構造２７が上方に移動すると、ロック軸４１がハッチ側支持台５１から上方に外れ、ロック軸４２が建屋床側支持台５２からから上方に外れる。
【００２７】
（Ｃ）第一ロック軸アクチエータ４５と第二ロック軸アクチエータ４６とを所定距離Ｙだけ縮める。第一ロック軸アクチエータ４５と第二ロック軸アクチエータ４６とが所定距離だけ縮むと、第一ロック軸４１と第二ロック軸４２が上記昇降機構上部構造２７の側面から所定距離Ｙだけ引っ込む。さらに第二可動式床板アクチエータ３５を所定距離だけ伸ばす。第二可動式床板アクチエータ３５が伸びると、第二可動式床板３３がその所定距離に対応した角度だけはね上がる。
【００２８】
（Ｄ）昇降アクチエータ２５を所定距離だけ縮める。昇降アクチエータ２５が所定距離だけ縮むと、昇降機構２０が伸縮し、昇降機構上部構造２７がその所定距離に対応した距離Ｘ２だけ下方に移動する。
【００２９】
（Ｅ）開閉アクチエータ８２を所定距離だけ縮める。開閉アクチエータ８２が縮むと、ハッチカバー本体８１が、所定距離に対応した角度だけ回転し、テストチャンバ７０の開口部７２から離れる。この際、床面昇降装置１０が下がっているので、床板機構３０がハッチカバー本体８１と干渉する恐れがない。
【００３０】
（Ｆ）昇降アクチエータ２５を所定距離だけ伸ばす。昇降アクチエータ２５が所定距離だけ伸びると、昇降機構２０が伸張し、昇降機構上部構造２７がその所定距離に対応した距離Ｘ２だけ上方に移動する。
【００３１】
（Ｇ）第一ロック軸アクチエータ４５と第二ロック軸アクチエータ４６を所定距離Ｙだけ伸ばす。第一ロック軸アクチエータ４５と第二ロック軸アクチエータ４６が伸びると、第一ロック軸４１と第二ロック軸４２が上記昇降機構上部構造２７の側面から所定距離Ｙだけ突出する。
【００３２】
（Ｈ）昇降アクチエータ２５を所定距離だけ縮める。昇降アクチエータ２５が所定距離だけ縮むと、昇降機構２０が伸縮し、昇降機構上部構造２７がその所定距離に対応した距離Ｘ１だけ下方に移動する。昇降機構上部構造２７が下方に移動すると、第一ロック軸４１がハッチ側支持台５１に乗り、第二ロック軸４２が建屋床側支持台５２に乗る。
さらに、第二可動式床板アクチエータ３５を所定距離だけ縮める。第二可動式床板アクチエータ３５が縮むと、第二可動式床板３３がその所定距離に対応した角度だけ下がり、その上面が水平になる。さらに、第一可動式床板アクチエータ３４を所定距離だけ縮める。第一可動式床板アクチエータ３４が縮むと、第一可動式床板３１がその所定距離に対応した角度だけ下がり、その上面が水平になる。
【００３３】
したがって、据え付け床板７３の上面と第一可動式床板３１の上面と作業床板３２の上面と第二可動式床板３３の上面と建屋の床上面６１が水平に繋がる。次に（Ｈ）の状態から（Ａ）の状態に遷移させる場合は、上述の手順を逆にして、（Ｈ）の手順から順に、（Ｇ）、（Ｆ）、（Ｅ）、（Ｄ）、（Ｃ）、（Ｂ）の手順をおこなう。
【００３４】
本実施形態の環境模擬試験装置を用いれば、テストチャンバ７０の開口部７２を開放するためにハッチカバー本体８１を上方に回転する時、およびテストチャンバ７０の開口部７２を閉塞するためにハッチカバー本体８１を下方に回転する時に、床面昇降装置１０により床面機構３０を下方に退避させるので、ハッチカバー８１と床面機構３０との干渉をさけることができる。
また、テストチャンバ７０の開口部７２を開放してハッチカバー本体８１を上方に回転した時、据え付け床板７３の上面と第一可動式床板３１の上面と作業床板３２の上面と第二可動式床板３３の上面と建屋の床上面６１が水平に繋がるので、被測定物をテストチャンバ７０に搬入したり、被測定物をテストチャンバ７０から搬出するのが容易になる。
さらに（Ａ）から（Ｈ）までの一連の手順、または（Ｈ）から（Ａ）までの一連の手順を制御手段により自動的に行うことができるので、被測定物の搬入、搬出作業の段取りが短時間でできる。
【００３５】
本発明は以上に述べた実施形態に限られるものではなく、発明の要旨を逸脱しない範囲で各種の変更が可能である。ハッチカバー８０のハッチカバー本体８１とテストチャンバー本体７１との結合をピン結合としたが、これに限定されず、例えばリンクにより結合してもよい。また、可動式床板を支点を中心に回転する様にしたがこれにも限定されず、リンク機構等によっても良い。また、アクチエータは例えば油圧シリンダであるとして説明したがこれに限定されず、電動式でもよい。
【００３６】
【発明の効果】
以上説明したように本発明の環境模擬試験装置は、その構成により、以下の効果を有する。
テストチャンバはその外壁にある開口部から被試験物を搬入でき、ハッチカバーはその蓋で開口部を開放、閉鎖でき、床面昇降装置は、作業床板を備え、その開口部に沿って設けられ、ハッチカバーが開閉のため移動する間、その床面昇降装置がその作業床板を下降させるので、被試験物を搬入の際、開口部を開放するためハッチカバーを動かす時、その作業床板とそのハッチカバーの干渉を防止することができる。
さらに、据付床板がテストチャンバの内部に備えられ、ハッチカバーが開放時には、その据付床板の上面と据付床板の上面とが同一平面を構成するので、被試験物のテストチャンバへの搬入、搬出が容易にできる。
さらに、可動式床板と作業床板とが床面昇降装置にあり、ハッチカバーが開放時に、可動式床板の上面と据付床板の上面と作業床板の上面と並んで、同一平面を構成するので、被試験物のテストチャンバへの搬入、搬出がより容易にできる。
したがって、機械の搬入、搬出があっても稼働率の低下しない環境模擬試験装置を提供することができる。
【図面の簡単な説明】
【図１】本発明の実施形態の第一の側面図である。
【図２】本発明の実施形態の第二の側面図である。
【図３】本発明の実施形態の部分側面図である。
【図４】本発明の実施形態の部分正面図である。
【図５】本発明の実施形態の平面図である
【図６】本発明の実施形態の手順図である。
【図７】従来の平面図である。
【符号の説明】
１０    床面昇降装置
２０    昇降機構
２１    第一昇降脚
２２    第二昇降脚
２３    第三昇降脚
２４    第四昇降脚
２５    昇降アクチエータ
２６    昇降機構基礎
２７    昇降機構上部構造
３０    床板機構
３１    第一可動式床板
３２    作業床板
３３    第二可動式床板
３４    第一可動式床板アクチエータ
３５    第二可動式床板アクチエータ
３６    床板機構主構造
４０    ロック機構
４１    第一ロック軸
４２    第二ロック軸
４３    第一ロック軸ガイド
４４    第二ロック軸ガイド
４５    第一ロック軸アクチエータ
４６    第二ロック軸アクチエータ
５０    支持機構
５１    ハッチ側支持台
５２    建屋床側支持台
５３    ハッチ側支持台構造
５４    第二可動式床板支持台
６０    建屋床
６１    建屋床の上面
７０    テストチャンバ
７１    テストチャンバ本体
７２    開口部
７３    据え付け床板
８０    ハッチカバー
８１    ハッチカバー本体
８２    開閉アクチエータ
８３    ハッチカバー回転軸
８４    開閉アクチエータ用座
９０    被試験物
９１    固定作業床板
９２    橋渡し床板
【図１】
0004168563.tif 000002
【図２】
0004168563.tif 000003
【図３】
0004168563.tif 000004
【図４】
0004168563.tif 000005
【図５】
0004168563.tif 000006
【図６】
0004168563.tif 000007
【図７】
0004168563.tif 000008